(57)【特許請求の範囲】
【請求項１】
ロール状のトイレットペーパーを、芯軸を軸支することなく保持することができるトイレットペーパーホルダーにおいて、
上部が開口した収容器と、
収容器の開口部分を開閉可能に覆う蓋体と、
トイレットペーパーをカットするために蓋体の開閉部の外側上方部分に取り付けられたカット部材と、
からなり、
前記のカット部材は、
表面にヤスリ加工が施されている
ことを特徴とするトイレットペーパーホルダー。
【請求項２】
前記のカット部材は、
着脱自在に設けられている
ことを特徴とする請求項１に記載のトイレットペーパーホルダー。
【請求項３】
前記のカット部材は、
トイレットペーパーの引き出し方向に対して直角方向に長く、断面が凸状の形状である
ことを特徴とする請求項１または請求項２に記載のトイレットペーパーホルダー。
【請求項４】
前記の蓋体と収容器は、
互いに当接する部分が凹凸状の嵌め合わせ構造に形成され、
蓋体が閉じられた状態で、蓋体の開口先端部と収容器の開口先端部とが嵌合してトイレットペーパーを挟持する
ことを特徴とする請求項１から請求項３までのいずれか一項に記載のトイレットペーパーホルダー。
【請求項５】
前記の上部が開口した収容器と、収容器の開口部分を開閉可能に覆う蓋体との開閉部分において、
開閉部となる蓋体の開口先端部と、収容器の開口先端部とが当接した状態で、蓋体の側面部に設けられた掛止め突起部と、収容器の側面部に設けられた掛止め凹部とが嵌合して固定され、
蓋体が閉じられた状態で、蓋体の開口先端部と収容器の開口先端部が当接してトイレットペーパーを挟持する
ことを特徴とする請求項１から請求項３までのいずれか一項に記載のトイレットペーパーホルダー。
【請求項６】
前記の蓋体は、
湾曲形状であり、その内面側に、トイレットペーパーの回転方向と同方向に、複数のレール状滑り手段が設けられている
ことを特徴とする請求項１から請求項５までのいずれか一項に記載のトイレットペーパーホルダー。
【請求項７】
前記の蓋体は、
既存の、トイレットペーパーを覆い、トイレットペーパーを押さえて切り取る押さえ板を代用して使用することができ、
この押さえ板に、上部が開口した収容器と、トイレットペーパーをカットするためのカット部材と、を備えた
ことを特徴とする請求項１から請求項６までのいずれか一項に記載のトイレットペーパーホルダー。
【発明の詳細な説明】
【技術分野】
【０００１】
本発明は、ロール状のトイレットペーパーを芯軸を軸支することなく保持するトイレットペーパーに関し、特に、従来とは異なる新しいカット部材を用いて片手でも容易にトイレットペーパーを切り取ることができるトイレットペーパーホルダーに関するものである。
【背景技術】
【０００２】
ロール状のトイレットペーパーを、芯軸を軸支することなく保持するトイレットペーパーホルダーに関する発明は、従来から多数開示されており、ロール状のトイレットペーパーを保持する収納部と、蓋体及び切断部とからなる構成であり、トイレットペーパーを切り取るカット部分は、そのほとんどがトイレットペーパーを覆う蓋体の端部をカット部分にしたものであり、例えば蓋体の端部を歯型の形状にしてカットしやすくしたもの等が一般的である。
【０００３】
また、蓋体の先端に重りを設けたり、蓋体がトイレットペーパーを押さえるように蓋体に付勢する部材を用いるなどして、トイレットペーパーを押さえてカットしやすくし、またトイレットペーパーの逆戻りを防止する役目を果たすものも多く存在する。
【０００４】
さらに、このトイレットペーパーを切り取る作業を、片手でも容易にできるトイレットペーパーホルダーとして、以下の特許文献が開示されている。
【０００５】
特許文献１のトイレットペーパーホルダーによれば、その引き出し部において、引き出すトイレットペーパーの先端部分を束ねるように絞り込んで引き出し、引き出し部のカッターにより片手で下方に押して切り取るものであり、片手で切断可能となっているものである。
【０００６】
また、特許文献２のトイレットペーパーホルダーによれば、取り出し口を該ホルダー前面の下部に、また、カッター部を前面の上端角部に配置し、下部の引き出し口から引き出したトイレットペーパーを上部角部に設けられたカッター部で切断するものであり、片手で切断可能となっているものである。
【特許文献１】特開２００７−１４３６３号公報
【特許文献２】特開２００７−１６００７０号公報
【発明の開示】
【発明が解決しようとする課題】
【０００７】
しかしながら、上記の特開２００７−１４３６３号公報では、束ねてカットするため、トイレットペーパーが補強された状態となっており、引き出し方法の強度も増しており、下方に押しただけでは簡単に切断できない。また、引き出し部とカット部との距離が短いので、ロールが小さくなると、切断後、ホルダーの内部にトイレットペーパーの先端部が引き戻されてしまう。
【０００８】
また、特開２００７−１６００７０号公報では、ホルダーの下部から取り出し、ホルダーの上部まで引き出し、向う側（壁側）に押してカットするため、非常にカット動作がしにくく、また、カット部と向こう側の壁との距離が非常に狭い（５〜１０ｃｍ程度）ので、カット動作時に手が壁に当たってしまう、また、使用者から離れる方向にカットしなければならないので、手が短い子供等にはカット動作も困難である。
【０００９】
本発明は、上記の問題点に鑑みてなされたものであり、ロール状のトイレットペーパーを芯軸を軸支することなく保持するトイレットペーパーに関し、特に、従来とは異なる新しいカット部材を用いて片手でも容易で確実にトイレットペーパーを切り取ることができるトイレットペーパーホルダーを提供することを課題とする。
【課題を解決するための手段】
【００１０】
本発明は、上記に示す課題を、以下の手段によって解決することができる。
【００１１】
本発明では、ロール状のトイレットペーパーを、芯軸を軸支することなく保持することができるトイレットペーパーホルダーにおいて、上部が開口した収容器と、収容器の開口部分を開閉可能に覆う蓋体と、トイレットペーパーをカットするために収容器の前壁下方部分に取り付けられたカット部材とからなることを特徴とするトイレットペーパーホルダーである。また、このカット部材は、蓋体の開閉部の外側上方部分に設けられたものでも良い。
【００１２】
収容器は、内部にトイレットペーパーを収容する中空の容器であり、トイレットペーパーは芯があるものと無いものとを問わず収容できるように、トイレットペーパーを芯軸によって軸支することなく保持できる形状とする。
【００１３】
好ましくは、収容器は、トイレットペーパーを保持し、且つトイレットペーパーの回転を促すように湾曲した形状とする。
【００１４】
収容器は、湾曲した形状に限らず、例えば箱型の形状等であっても良いが、いずれの形状にした場合でも、底部にロールやレールなどの滑り手段を設け、トイレットペーパーの回転を促すように構成することが良い。
【００１５】
このような構成にすることで、トイレットペーパーを芯軸によって軸支せずとも、トイレットペーパーを保持することができ、容易にトイレットペーパーを回転させて引き出すことができる。
【００１６】
また、収容器は、上部が開口した形状とする。開口部分を蓋体によって塞ぐことができるように、蓋体を開閉可能に設ける。
【００１７】
該蓋体は、収容器同様に湾曲した形状としても良いし、板状の形状のものでも良い。
【００１８】
また、蓋体は、収容器の左右の側板に凹凸の嵌め部を設けて回転開閉可能に嵌着させても良いし、収容器の背面板とスライド開閉可能に枢着させても良い。
【００１９】
トイレットペーパーの交換は、蓋体を開けて収容器が開口した状態にし、収容器の内部にトイレットペーパーを装填するだけでなので、片手でも出来、非常に簡便である。
【００２０】
収容器は、前壁の上部が開口した形状であるので、その開口部分からトイレットペーパーを引き出す。
【００２１】
蓋体が閉じられた状態では、蓋体の先端部分と収容器の開口部分の端縁との隙間部分がトイレットペーパーの引き出し口になる。
【００２２】
引き出したトイレットペーパーは、カット部材によって切り取られるので、この収容器の前壁の開口部分の端縁からカット部材までの間は、使用者がトイレットペーパーを手で掴みやすいように垂れ下がった状態にあることになる。
【００２３】
そのため、従来のトイレットペーパーホルダーのように、切り取った後のトイレットペーパーが逆戻りして取り出すのに手間取るということがなく、使い勝手が非常に良い。
【００２４】
カット部材は、トイレットペーパーを切るために使うもので、収容器の前壁下方、又は、蓋体の開閉部の外側上方部分に設ける。
【００２５】
また、収容器に設けたカット部材は、トイレットペーパーの切り取りたい箇所をカット部材に当て、引き出したトイレットペーパーを収容器下方の奥側まで引っ張ることによって、トイレットペーパーを切り取るようにしたものである。
そのため、カット部材を、収容器の前壁のうち特に下方に設けることによって、引き出したトイレットペーパーを収容器下方の奥側まで引っ張りやすくした。
【００２６】
蓋体に設けたカット部材は、トイレットペーパーの切り取りたい箇所をカット部材に当て、引き出したトイレットペーパーを蓋体の上方に引っ張り、カット部に押し当てることによって、トイレットペーパーを切り取るようにしたものである。
【００２７】
カット部材は、トイレットペーパーを切り取ることができるものであれば、いずれの素材、形状でも良く、例えば、プラスチック、ステンレス、鉄などを、歯型や波型、湾曲した形状としても良い。
【００２８】
また、本発明では、前記のカット部材は、表面がヤスリ加工を施されたものであることを特徴とするトイレットペーパーホルダーである。
【００２９】
ヤスリ加工とは、細かい凹凸状の溝を形成したものや、研磨剤を塗布したものをいう。
【００３０】
カット部材は、表面にヤスリ加工が施されたものであればいずれの部材でも良いが、例えば、カット部材自体を金属ヤスリを用いても良い。
【００３１】
また、研磨剤を塗布したものとしては、紙状のシートや布に研磨材を塗布した紙ヤスリ（サンドペーパー、研磨紙）、布ヤスリなどが考えられるが、例えば、カット部材自体は、プラスチックなどの樹脂材を用い、その表面部分に、紙ヤスリ（サンドペーパー、研磨紙）、布ヤスリなどの研磨剤を塗布したものを貼り付けるようにしても良い。
【００３２】
カット部材の表面が、細かい凹凸状の溝を形成したり、研磨剤を塗布した、ヤスリ加工を施されていることによって、従来から使用されているトイレットペーパーの押さえ板の問題を解消するものである。
【００３３】
つまり、従来のトイレットペーパーの押さえ板は、トイレットペーパーを切り取る際に、押さえ板からトイレットペーパーが滑ってしまい、使用者はトイレットペーパーが滑らないように押さえ板を押さえつけてから、トイレットペーパーを切り取るという作業をしなければならなかった。
【００３４】
これは、トイレットペーパーを掴む作業に加えて、押さえ板を押さえる作業をしなければならないことになり、この２つの作業を片手でするのは困難であった。
【００３５】
この問題を解消するものとして、押さえ板にトイレットペーパーを押さえる方向に付勢する弾性バネや重りなどを設けて、押さえ板を押さえる作業を不要にしたトイレットペーパーホルダーも多く見られるが、実際には押さえ板を押さえる作業を不要にするまでの操作性の向上には至っていない。
【００３６】
また、前記の特許文献にかかる従来例によれば、片手で容易にトイレットペーパーを切断できるが如く記載されているが、トイレットペーパーホルダーの表面部分に山形の切断部が剥き出しの状態に構成されていることから、あまりに鋭利な形状を成した切断部では怪我をしてしまい危険であることから、切断部はあまり鋭利な形状にすることはできず、結局、実際にトイレットペーパーを切る際には、トイレットペーパーが切断部から滑らないように注意して切り取ることが必要になる。
【００３７】
つまり、従来のトイレットペーパーホルダーに使用されてきた切断部では、常にトイレットペーパーが滑らない工夫がなされている必要があった。
【００３８】
本発明は、この問題点を解消すべく、新たな切断部としてカット部材を提供するものである。
【００３９】
すなわち、カット部材の表面が、細かい凹凸状の溝を形成したり、研磨剤を塗布した、ヤスリ加工を施されていることによって、トイレットペーパーの繊維がカット部材の細かい凹凸状に形成された溝や研磨剤が塗布された表面部分に滑ることなく着接したような状態となり、トイレットペーパーが滑ることがないので、容易にトイレットペーパーを切り取ることができる。
【００４０】
これは、片手で容易に切り取ることができるというばかりでなく、手が不自由な人でも容易にトイレットペーパーを切り取ることができる。
【００４１】
前記の特許文献にかかる従来例に記載されている「片手で容易に切り取ることができる」という単に「片手で作業ができる」という構造上の性質から得られる操作性についての効果とは全く異なる効果を意味する。
【００４２】
すなわち、本発明にかかるカット部材を用いることにより、トイレットペーパーを切り取る作業をするのに片手で十分なほどの容易さを得られるという、カット部材の特質による効果を得られるのである。
【００４３】
また、本発明では、前記のカット部材は、収容器と分離して、取り外し可能に設けられていることを特徴とするトイレットペーパーホルダーである。
【００４４】
カット部材の取り付け位置は、収容器の前壁下方、及び蓋体の外側上方としているが、使いやすい位置が使用者によって異なる場合も考えられるため、取り付け位置の変更やカット部材の交換を可能にするために、カット部材を収容器から取り外しができるようにしたものである。
【００４５】
また、本発明では、前記のカット部材は、トイレットペーパーの引き出し方向に対して直角方向に長く、断面が凸状の形状であることを特徴とするトイレットペーパーホルダーである。
【００４６】
直角方向に長い形状とは、トイレットペーパーの引き出し方向と比べて、直角方向が長いことを意味し、形状は、直線や波形、湾曲した形状とする。
【００４７】
例えば、棒状の形状からなるカット部材が考えられる。
【００４８】
カット部材の断面形状は、凸状の形状であり、例えば、多角形状、半円形状、楕円形状などである。
【００４９】
好ましくは、三角形状であり、トイレットペーパーの切り取り部分が、三角形の鋭角部分に当接して切り取られるようにするのが良い。
【００５０】
また、例えば、紙ヤスリや布ヤスリなどの研磨剤を塗布したシート状のものであれば、断面は平面の形状であり、これをカット部材として用いることも考えられるが、よりトイレットペーパーを切り取りやすくするためには、断面が凸状の形状を成している方が好ましい。
【００５１】
そこで、紙ヤスリや布ヤスリなどの研磨剤を塗布したシート状のものであれば、断面が凸状の形状を成したカット部材の表面に貼り付けるようにして構成するのが良い。
【００５２】
この場合のカット部材は、収容器の前壁下方、又は蓋体の外側上方に固着できる素材であれば、いずれの素材でも良く、プラスチックなどの樹脂材や、ゴムなどの弾性材、鉄、銅、アルミなどの金属材などでも良い。
【００５３】
カット部材は、全面をヤスリ部分としなくても、トイレットペーパーが当接する部分だけをヤスリ部分として構成してもよい。
【００５４】
また、本発明では、前記の蓋体と収容器は、互いに当接する部分が凹凸状に形成され、蓋体が閉じられた状態で、蓋体の開口先端部と収容器の開口先端部とが嵌合してトイレットペーパーを挟持することを特徴とするトイレットペーパーホルダーである。
【００５５】
トイレットペーパーの引き出し口は、収容器の開口部分であり、蓋体が閉じられた状態では、蓋体の先端部分と収容器の開口部分の端縁との隙間部分になるが、本発明は、この収容器の前壁の開口部分の端縁と蓋体の先端部分とが互いに凹凸状に形成され、蓋体が閉じられた状態では、この凹凸状に形成された部分で嵌合してトイレットペーパーを挟持することができるようにしたものである。
【００５６】
例えば、収容器の前壁の開口部分の端縁と当接する蓋体の先端部分の内側が凸状に形成され、蓋体の先端部分と当接する収容器の前壁の開口部分の端縁部分が凹状に形成され、蓋体が閉じられた状態で嵌合するので、トイレットペーパーを挟持することができる。
【００５７】
これにより、トイレットペーパーが不意に回転してしまうのを防止することができ、トイレットペーパーを切り取る際には、適度の引張力を得ることができ、またトイレットペーパーを切り取った後は、逆戻りを防止することができる。
【００５８】
この固定は、トイレットペーパーを強く引っ張った時には、外れるようにすると使い勝手が良い。
【００５９】
すなわち、トイレットペーパーを引き出す際には、トイレットペーパーを強く引っ張ることによって嵌合されている状態を外し、所望の長さにトイレットペーパーを引き出した後は、蓋体を閉じて嵌合してトイレットペーパーを挟持し、トイレットペーパーの逆戻りを防止して適度な引張力を得て、トイレットペーパーを切り取るということができる。
【００６０】
尚、この引き出し口のトイレットペーパーの挟持は、蓋体と収容器の開口先端部が嵌合する構造の他に、蓋体と収容器の側面部に嵌合部を形成して挟持させるようにすることができる。また、互いに当接する箇所を、凹凸に形成するのではなく、互いの当接部にマグネット板などの磁石部材を設け、適度の磁力により接着されるようにしても良い。
【００６１】
また、本発明では、前記の蓋体は、湾曲形状であり、その内面側に、トイレットペーパーの回転方向と平行に複数のレール状滑り手段が設けられていることを特徴とするトイレットペーパーホルダーである。
【００６２】
該蓋体は、回転させて開いた状態において、収納器の底面上部に位置し、その内面側が上部となり、その状面にトイレットペーパーが載置されることになる。
【００６３】
この場合に、該トイレットペーパーがスムーズに回転できるように、トイレットペーパーと接触する蓋体の内面側に、滑り手段となるレールを回転方向に複数設けるものである。該レールは、滑り手段となるレール状のものであればいずれでも良く、細線を固定したものや、細長い凸条を形成したものなどでも良い。
【００６４】
該レールにより、トイレットペーパーとの接触面積が最小となり、回転がスムーズとなり、引き出すときに飛び出したり、途中で切れてしまうなどの問題を防止できるものである。
【００６５】
また、本発明では、前記の蓋体は、既存の、トイレットペーパーを覆いトイレットペーパーを押さえて切り取る押さえ板を代用して使用することができ、この押さえ板に、上部が開口した収容器と、トイレットペーパーをカットするために収容器の前壁下方に取り付けられたカット部材と、を備えたことを特徴とするトイレットペーパーホルダーである。
【００６６】
上部が開口した収容器と、トイレットペーパーをカットするために収容器の前壁下方に取り付けられたカット部材とを、後から取り付けることができるようにしたものである。
【００６７】
また、本発明では、トイレットペーパーに代えてキッチンペーパーを使用することも出来る。その場合には、収容器にキッチンペーパーが収まるサイズ、形状とする。カット部材は、同様に、表面がヤスリ加工を施されたものが使用できる。
【発明の効果】
【００６８】
１）トイレットペーパーを引き出したその動作のまま、トイレットペーパーをカットすることができる。
【００６９】
２）トイレットペーパーを片手で容易に切り取ることができる。
【００７０】
３）収容器と蓋体とでトイレットペーパー全体を覆っているので、トイレ室内を掃除する際などの水撥ねによりトイレットペーパーが濡れて使用できなくなるということがなく、掃除のたびにトイレットペーパーを取り外す必要がない。
【００７１】
４）蓋体が収容器に嵌合することで、トイレットペーパーを挟持することができ、トイレットペーパーの切り取りが容易で、トイレットペーパーの逆戻りを防止することができる。また、引き出すときにトイレットペーパーが飛び出してしまうことがない。
【００７２】
５）蓋体の内面側に滑り手段が設けられていることにより、蓋体を回転させて開いた状態では、蓋体の内面側にトイレットペーパーが載置されることになるが、滑り手段により回転が容易となり、引き出すときに飛び出してしまうなどの問題がなく、スムーズに引き出すことができる。
【００７３】
６）既存のトイレットペーパーホルダーに設置することができる。
【００７４】
７）キッチンペーパーを片手で容易に取り出すことができる。
【発明を実施するための最良の形態】
【００７５】
以下、本発明の実施の形態について、実施例の図面を用いて説明する。
【００７６】
図１乃至図４は、本発明に係るトイレットペーパーホルダーの一実施例を示す、蓋体を閉じた状態の正面図、蓋体を閉じた状態の斜視図、蓋体を開けた状態の斜視図、トイレットペーパーを装填して蓋体を閉じた状態の斜視図である。
【００７７】
収容器１は、上部が開口した形状となっており、下部はトイレットペーパーを保持し、且つトイレットペーパーの回転を促すように湾曲した形状となっている。
【００７８】
収容器１は、内部にトイレットペーパー２を収容する中空の容器であり、トイレットペーパー２を芯軸によって軸支することなく保持できる。
【００７９】
このため、トイレットペーパー２は芯があるものと無いものとを問わず収容できる。
【００８０】
収容器１の背面３は、壁面への取付け部となる。
【００８１】
収容器の開口部分は、蓋体４によって覆うことができる。
【００８２】
蓋体４は、左右の側面に形成した孔を、収容器の左右の側面の内側に形成した凸部に嵌めて嵌合させることによって、開閉可能に設けてある。
【００８３】
トイレットペーパー２の交換は、蓋体４を開けて収容器１が開口した状態にし、収容器１の内部にトイレットペーパー２を装填するだけでなので、片手でも容易に出来、非常に簡便である。
【００８４】
蓋体４は、トイレットペーパー２の引き出し口８である収容器１の開口部分の端縁と当接する部分（蓋体の先端部分５）が、収容器の開口部分の端縁６に嵌合する形状になっている。
【００８５】
すなわち、蓋体４の先端部分５の内面側は、収容器１の開口部分の端縁６に当接する部分に沿って凸状を成し、この凸状の部分が、収容器１の開口部分の端縁６に形成された凹状の溝に嵌合する。
【００８６】
これにより、収容器１の開口部分から、蓋体４と収容器１との間を通して引き出されたトイレットペーパー２ａは、蓋体４と収容器１との凹凸部分によって挟持される。
【００８７】
トイレットペーパー２ａを挟持することで、トイレットペーパー２ａを切り取る際に、適度な引張力を得られ、容易にトイレットペーパー２ａを切り取ることができるだけでなく、切り取った後の逆戻りを防止する効果も得られる。また、引き出すときトイレットペーパー２が飛び出してしまう問題もなくなる。
【００８８】
また、蓋体４が収容器１の開口部分を覆うことで、トイレットペーパー２全体を覆うことができる。
【００８９】
これにより、トイレ掃除などで、水撥ねした場合でもトイレットペーパー２が濡れることがないので、水撥ねをしてトイレットペーパー２を無駄にしてしまうという心配がなくなり、トイレ掃除を容易に行うことができる。
【００９０】
また、蓋体４を回転させて開いた状態においては、トイレットペーパー２が蓋体２の内面側に載置した状態となる。本例では、滑り手段となる細い凸条レール９が回転方向に平行に２本設けられており、トイレットペーパー２は容易に回転するので、引き出しやすく、引き出しときに飛び出してしまったり、引き出すときに切断されてしまうなどの問題なく、スムーズに確実に引き出すことができる。
【００９１】
また、収容器１の前面のカット部材７の下部に、開口部１０が設けられている。これは、トイレの掃除やトイレットペーパーの取替えなどの場合に、収容器１内に収納されたトイレットペーパー２を容易に取り出すことができるようにするためのものであり、この開口部１０から指でトイレットペーパー２を下から押し上げて取り出しやすくするためのものである。
【００９２】
収容器１の前壁下方には、カット部材７を設けてある。
【００９３】
カット部材７は、断面が三角形状を成す棒状の樹脂製の部材で、表面に紙ヤスリを貼り付けたものである。
【００９４】
棒状のカット部材７は、それ自体を金属ヤスリで構成しても良いし、本実施例のようにトイレットペーパー２ａと接する表面部分だけを紙ヤスリや布ヤスリを貼り付けるように構成してもよい。
【００９５】
カット部材７は、トイレットペーパー２の引き出し口８から所定の距離をとって設けてある。
【００９６】
この所定の距離をとることで、カット部材７によって切り取ったトイレットペーパー２ａは、引き出し口８からカット部材７までの間、垂れ下がった状態で静止することになる。
【００９７】
これにより、使用者は、トイレットペーパー２ａを容易に掴むことができ、トイレットペーパー２ａの引き出しが容易になる。
【００９８】
カット部材７は、引き出し口８から約８ｃｍの距離のところに設けたが、５から１０ｃｍ程度が望ましい。
【００９９】
上記のように構成された本発明にかかるトイレットペーパーホルダーは、以下の通り使用される。
【０１００】
図５〜図８は、本発明に係るトイレットペーパーホルダーの一使用例を示す図である。
【０１０１】
収容器１は、前壁の上部が開口できる形状であるので、その開口部分を開いてトイレットペーパー２を装填する。
【０１０２】
装填されたトイレットペーパー２は、開口部分８から引き出す。
【０１０３】
引き出したトイレットペーパー２ａは、切り取りたい箇所をカット部材７に当てて、図６、７に示すように、引き出したトイレットペーパー２ａを収容器１下方の奥側まで引っ張ることによって切り取る。
【０１０４】
切り取られた後に残ったトイレットペーパーは、収容器１の開口部分８の端縁からカット部材７までの間は、垂れ下がった状態で残っている。
【０１０５】
収容器１の開口部分の端縁５からカット部材７まで８ｃｍの距離があるため、トイレットペーパー２ａが逆戻りをすることがなく、垂れ下がった状態のままになる。
【０１０６】
この垂れ下がった状態になっていることで、次の使用者がトイレットペーパー２ａを手で容易に掴むことができる。
【０１０７】
また、トイレットペーパー２ａは、蓋体４と収容器１との凹凸部分によって挟持されることで、逆戻りを二重に防止することができる。
【０１０８】
このため、従来のトイレットペーパーホルダーのように、切り取った後のトイレットペーパー２ａが逆戻りして取り出すのに手間取るということがなく、使い勝手が非常に良い。
【０１０９】
また、図８は、本発明のトイレットペーパーホルダーの蓋体２を回転させて開いた状態で使用する場合を示すものであり、トイレットペーパー２は、収容器１の内底面に直接載置されるのではなく、蓋体２の内面側に載置されることになる。
【０１１０】
この場合には、蓋体２の内面に設けられた滑り手段となる２本のレール９の上に載置されることになるため、接触面積が小さくなり、回転が非常にスムーズとなり、上部に蓋をしなくても、トイレットペーパー２の引き出しによる飛び出しや途中で切断されてしまうなどの問題なく、容易に引き出せる。
【０１１１】
また、図９〜図１１は、本発明のトイレットペーパーホルダーの他の実施例を示す図であり、トイレットペーパーの引き出し位置が下部でカット部が上部となり、トイレットペーパーを下から上方に引き上げて切断するタイプの実施例である。
【０１１２】
図９は、カット部１１が蓋体４の開閉部の外側上方部分に設けられ、蓋体４の側面部に設けられた掛止め突起部１２と、収容器１の側面部に設けられた掛止め凹部１３とが嵌合して固定され、蓋体４が閉じられた状態で、蓋体４の開口先端部５と収容器１の開口先端部６が当接してトイレットペーパーを挟持する構造となるトイレットペーパーホルダーである。
【０１１３】
このトイレットペーパーホルダーでは、カット部１１が蓋体４の開閉部の外側上方部分に設けられているため、蓋体４の開口先端部５と収容器１の開口先端部６との隙間から引き出したトイレットペーパーを上方に引き上げ、カット部１１に押し付けるようにしてカットする。
【０１１４】
カット部１１は、ヤスリ加工されているので、滑ることなく容易に切断することができる。また、カット後は、トイレットペーパーがカット部１１に掛止め状態となるため、収容器１内に引き込まれることもない。
【０１１５】
図１０は。蓋体４を開いた状態を示す図である。図１１は、蓋体４のみを示す図である。図１２は、蓋体４の側面部に設けられた掛止め突起部１２と、収容器１の側面部に設けられた掛止め凹部１３とが嵌合状態を示す拡大図である。
【０１１６】
図１２に示すように、蓋体４を閉じると、収容器１の側面部に設けられた掛止め凹部１３に、蓋体４の側面部に設けられた掛止め突起部１２が嵌合して、カチッと固定される。この状態で、蓋体１の開口先端部５と、収容器１の開口先端部６とが当接し、トイレットペーパーを挟持することになる。
【０１１７】
尚、本発明のトイレットペーパーホルダーは、トイレットペーパーの他に、キッチンパーパーなど、ロール状に巻かれたものを引き出して使用するものであれば、いずれにも適用可能である。例えば、アルミホイル、ラップホイルなどにも使用可能である。
【図面の簡単な説明】
【０１１８】
【図１】本発明によるトイレットペーパーホルダーの実施例を示す正面図である。
【図２】本発明によるトイレットペーパーホルダーの実施例を示す斜視図である。
【図３】本発明によるトイレットペーパーホルダーの蓋部を開いた上体を示す図である。
【図４】本発明によるトイレットペーパーホルダーにトイレットペーパーを装填した状態を示す図である。
【図５】本発明によるトイレットペーパーホルダーのトイレットペーパーの先端を引き出した状態を示す図である。
【図６】本発明によるトイレットペーパーホルダーのトイレットペーパーのカット動作を示す図である。
【図７】本発明によるトイレットペーパーホルダーのトイレットペーパーのカットされている状態を示す図である。
【図８】本発明による蓋体開状態におけるトイレットペーパーのカット状態を示す図である。
【図９】本発明によるトイレットペーパーホルダーの他の実施例を示す側面図である。
【図１０】本発明によるトイレットペーパーホルダーの他の実施例の蓋体開状態を示す側面図である。
【図１１】本発明によるトイレットペーパーホルダーの他の実施例の蓋体のみを示す側面図である。
【図１２】本発明によるトイレットペーパーホルダーの他の実施例の掛止め嵌合部分を示す拡大図である。
【符号の説明】
【０１１９】
１  収容器
２  トイレットペーパー
２ａ  引き出されたトイレットペーパー
３  収容器の背面
４  蓋体
５  蓋体の先端部分
６  収容器の開口部分の端縁
７、１１  カット部材
８  引き出し口
９  レール
１０  開口部
１２  掛止め突起部
１３  掛止め凹部
【図１】
0004915008.tif 000002
【図２】
0004915008.tif 000003
【図３】
0004915008.tif 000004
【図４】
0004915008.tif 000005
【図５】
0004915008.tif 000006
【図６】
0004915008.tif 000007
【図７】
0004915008.tif 000008
【図８】
0004915008.tif 000009
【図９】
0004915008.tif 000010
【図１０】
0004915008.tif 000011
【図１１】
0004915008.tif 000012
【図１２】
0004915008.tif 000013